(57)【要約】【課題】  本発明は、キッチンカウンタのコーナー部に調理スペースを確保しつつ、心理的にこの調理スペースに作業者が来るよう誘導することが出き得るシステムキッチンを提供することを目的とする。【解決手段】  略直交する第１及び第２の方向にそれぞれ延在する第１の部分と第２の部分とを有する略Ｌ字形状に形成されてなるキッチンカウンタと、  前記キッチンカウンタのコーナー部の上に設けられるアイレベルキャビネットと、  前記第１の部分と前記第２の部分との接続部において、前記キッチンカウンタの天板がせり出した延出部と、  を備え、  前記アイレベルキャビネットの前面のコーナー面と前記延出部の前縁とが略平行に設けられ、  前記キッチンカウンタの上において前記延出部を含むように調理スペースが設けられ、かつ前記キッチンカウンタの奥行に対する前記調理スペースの奥行の割合が４０％から８０％であることを特徴とするシステムキッチン。を提供する。【選択図】  図１
2007330489.tif 000002
【特許請求の範囲】
【請求項１】
略直交する第１及び第２の方向にそれぞれ延在する第１の部分と第２の部分とを有する略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板がせり出した延出部と、
を備え、
前記アイレベルキャビネットの前面のコーナー面と前記延出部の前縁とが略平行に設けられ、
前記キッチンカウンタの上において前記延出部を含むように調理スペースが設けられ、
かつ前記キッチンカウンタの奥行に対する前記調理スペースの奥行の割合が４０％から８０％であることを特徴とするシステムキッチン。
【請求項２】
前記アイレベルキャビネットが前記キッチンカウンタと離間して配置されることを特徴とする請求項１記載のシステムキッチン。
【発明の詳細な説明】
【技術分野】
【０００１】
本発明は、システムキッチンに関し、特に、キッチンカウンタのコーナー部に調理スペースを設けたシステムキッチンに関する。
【背景技術】
【０００２】
炊事に使用するシステムキッチンに、炊事に用いる備品や道具食材などを収納するためのキャビネットを設けると、スムーズに炊事を行うことができる。このようなキャビネットについてみると、例えば、平面視で略Ｌ型のキッチンカウンタのコーナー部の全域を占拠し、シンク方向及びコンロ方向へそれぞれ引き出し式収納をスライド可能な略直方体状のキャビネットが開示されている（特許文献１）。しかし、このキャビネットの場合、キッチンカウンタのコーナー部の全域を占拠するため、調理スペースを確保できないという問題がある。
【０００３】
また、平面視で略Ｌ型のキッチンカウンタのコーナー部背面側に、平面視で略三角形状のキャビネットを設け、このキャビネットがガイド機構とキャスターとによりコーナー部に向けてスライド可能とされたコーナーキャビネットが開示されている（特許文献２）。しかし、このコーナーキャビネットは、前方にスライドさせた状態においてやはりキッチンカウンタのコーナー部のほぼ全域を占拠してしまうため、調理スペースを確保することができなかった。
【０００４】
一方、平面視で略Ｌ型のキッチンカウンタのコーナー部背面側に、キッチンカウンタ前縁とほぼ平行に前面が形成された収納キャビネットが開示されている（特許文献３）。しかし、この収納キャビネットの下方のキッチンカウンタ上にはシンクが設けられており、キッチンカウンタのコーナー部を調理スペースとして用いることができなかった。
一方、本願出願人は、Ｌ方のキッチンカウンタの上にキャビネットが設けられたシステムキッチンを開示している（例えば、特許文献４）。
【特許文献１】特開昭５９−２１８１１１号公報
【特許文献２】特開平７−２８９３６８号公報
【特許文献３】特許第２６７６８３４号公報
【特許文献４】特開昭５８−８１０１０号公報
【発明の開示】
【発明が解決しようとする課題】
【０００５】
本発明は、キッチンカウンタのコーナー部に便利な調理スペースを確保しつつ、心理的にこの調理スペースに作業者が来るよう誘導することができ、さらに調理中にそこに居続けさせ得るシステムキッチンを提供する。
【課題を解決するための手段】
【０００６】
本発明の一態様によれば、
略直交する第１及び第２の方向にそれぞれ延在する第１の部分と第２の部分とを有する略Ｌ字形状に形成されてなるキッチンカウンタと、
前記キッチンカウンタのコーナー部の上に設けられるアイレベルキャビネットと、
前記第１の部分と前記第２の部分との接続部において、前記キッチンカウンタの天板がせり出した延出部と、
を備え、
前記アイレベルキャビネットの前面のコーナー面と前記延出部の前縁とが略平行に設けられ、
前記キッチンカウンタの上において前記延出部を含むように調理スペースが設けられ、
かつ前記キッチンカウンタの奥行に対する前記調理スペースの奥行の割合が４０％から８０％であることを特徴とするシステムキッチンが提供される。
【発明の効果】
【０００７】
本発明によれば、キッチンカウンタのコーナー部に調理スペースを確保しつつ、心理的にこの調理スペースに作業者が来るよう誘導することが出き、さらに調理中にそこに居続けさせ得るシステムキッチンを提供でき、産業上のメリットは多大である。
【発明を実施するための最良の形態】
【０００８】
以下、図面を参照しつつ本発明の実施の形態について説明する。  
図１は、本発明の実施の形態にかかるシステムキッチンの基本構成を例示する模式斜視図である。  
また、図２は、図１に示す本発明の実施の形態にかかるシステムキッチンを例示するための模式平面図である。
【０００９】
本具体例のシステムキッチン１０は、平面視で略Ｌ字状のキッチンカウンタ２０を備え、コンロ５５とシンク６０とがキッチンカウンタ２０上の略同一平面上に設けられている。すなわち、システムキッチン１０は、略直交する第１及び第２の方向にそれぞれ延在する第１の部分と第２の部分とを有する略Ｌ字形状に形成されてなるキッチンカウンタ２０を有する。また、キッチンカウンタ２０の下には、フロアキャビネット２３や食洗機（食器自動洗浄機）２５などが設けられている。これら各部の表面は、例えば、汚れがつきにくい壁材や鏡面仕上げあるいは木目調仕上げの扉材などを採用することにより、手入れや掃除がしやすく美観にも優れる。さらに、ユニバーサルデザインの観点からも工夫がされている。例えば、高齢者や身体障害者が椅子１００に座りながら炊事した時に、着座した状態で膝がキッチンカウンタ２０の下側に当たらないように「ニー・スペース５４」を設け、楽な姿勢で作業を行うこともできる。このニー・スペース５４は、キッチンカウンタ２０を支える背板２７及び、フロアキャビネット２３の側板２８と食洗機２５の側板２９とに囲まれた空間として形成されている。またさらに、食洗機２５の上方のキッチンカウンタ２０には、比較的に使用頻度の低いサブ作業スペース５３が設けられている。
【００１０】
また、従来の略Ｌ型のシステムキッチンの前面側コーナーは、ほぼ直角すなわち９０度であったのに対して、本具体例では、キッチンカウンタ２０のコーナー部に、作業者に向かってせり出したキッチンカウンタ２０の天板の延出部２１が設けられている。延出部２１の前面の両側のコーナー角度は、それぞれ１３５度程度の角度を有する。尚、このコーナー角度は１２０度以上であることが望ましい。もし、１２０度以下であれば、座位作業時に作業者の腕・肘がキッチンカウンタ２０のコーナー部と干渉することがあるからである。
【００１１】
このような延出部２１を設けることにより、キッチンカウンタ２０のコーナー部において作業者との間の空間領域を有効利用でき、後述する調理スペース５０を確保することができる。
【００１２】
略Ｌ字状のキッチンカウンタ２０のコーナー部には、その高さにアイレベルすなわち立位あるいは座位の作業者の目の高さ位置を含んでいるアイレベルキャビネット３０がその背面をキッチンカウンタ２０の背面と連なるように設けられている。つまり、キッチンカウンタ２０のコーナー部の上において、キッチンカウンタ２０の背面に沿ってアイレベルキャビネット３０が設けられている。そして、延出部２１の前縁２０ａとアイレベルキャビネット３０の前面との間にできるキッチンカウンタのスペースが調理スペース５０となる。この調理スペース５０は、コンロ５５とシンク６０との間に位置し、水洗いした食材を加工したり、コンロで加熱した鍋などの調理用器具などを臨時的に置いたり、料理を食器に盛りつけるなどの一連の作業を行うことができる場所もある。
【００１３】
またさらに、キッチンカウンタ２０とアイレベルキャビネット３０との間には隙間が設けられ、この隙間も補助的な調理スペースとして利用することができる。すなわち、キッチンカウンタ２０と、アイレベルキャビネット３０の底板と、により挟まれた空間が隙間として設けられている。  
図３は、アイレベルキャビネット３０の平面寸法を例示する模式図である。アイレベルキャビネット３０の前面の幅は例えば４２ｃｍであり、この前面の両端部における奥行きは２４ｃｍであり、奥行きの最大寸法は５２ｃｍである。このようなサイズのスペースがあると、後に詳述するように、標準的なサイズのまな板やボウルなどを完全に収納することが可能となる。
【００１４】
このアイレベルキャビネット３０は、キッチンカウンタ２０背面に沿って２つの収納部３９が略直角に設けられ、それらの内部には収納抽斗４０がスライド引き出し自在にそれぞれ設けられている。なお、図１は、これら収納抽斗４０がそれぞれ引き出された状態を表す。これら収納抽斗４０は、収納部３９の長軸に沿ってそれぞれ独立にスライドする。
【００１５】
アイレベルキャビネット３０の内部には、キッチンカウンタ２０の天板に対して略平行な複数の棚板４５が設けられている。立位及び座位の作業者からみて少なくともアイレベル位置にある棚板４５の前縁４５ａを含むコーナー面４５ｂと延出部２１の前縁２０ａとは、略平行となっている。コーナー面４５ｂとは、アイレベルキャビネット３０の前面に位置し、キッチンカウンタ２０の天板に略垂直な面をいう。コーナー面４５ｂの奥には、コーナー面４５ｂを開口とし、棚板４５を利用して調理に使う道具や調味料を収納できるコーナー収納部９０が設けられている。
そして、前縁２０ａの寸法Ｌ１よりもコーナー面４５ｂの幅方向寸法Ｌ２の方が同じまたは長いものとなっている。  
【００１６】
本実施形態では、このような構成を取るため、心理的に作業者が調理スペース５０に来るよう誘導することができる。人は、平行な面の前に正対すると心が落ち着くという性質を有する。特に、アイレベル位置に平行な面があれば無意識のうちにその平行な面に正対して作業をするようになる。すなわち、アイレベルキャビネット３０の前面のコーナー面４５ｂに正対して作業をすることを無意識のうちに望むようになり、作業者がコーナー面４５ｂの前方の調理スペース５０で作業をするためにそこに来るよう誘導することができるようになる。また、前縁２０ａの寸法Ｌ１よりもコーナー面４５ｂの幅方向寸法Ｌ２の方が長いものとなっているため、アイレベル位置により広い平行な面ができ、さらに効果的に作業者を誘導できることになる。
【００１７】
バストレベルにコーナー面４５ｂがある場合、誘導効果が高まり、さらに調理中にコーナー収納部９０の使い勝手も良くなる。調理中、作業者はキッチンカウンタ２０の上で切ったり混ぜたりという作業を行うので、首を前方に曲げ、顔を下に向け、上体をやや前傾させた姿勢をとっている事が多い。バストレベルにコーナー面４５ｂがある場合、調理スペースで下を向いても作業者の視界に入るため、より効果的に、並行な面に正対する事による心理的な落ち着きを得る事が出来、その結果、調理スペース５０に作業者をさらに誘導しやすくなる。
【００１８】
ここで、アイレベルキャビネット３０のコーナー面４５ｂの幅方向寸法Ｌ２は、延出部２１の前縁２０ａの幅Ｌ１よりも大きいことが望ましい。  
図４は、前縁２０ａの寸法Ｌ１よりもコーナー面４５ｂの幅方向寸法Ｌ２の方が短い場合を例示する斜視図である。  
また、図５は前縁２０ａの寸法Ｌ１よりもコーナー面４５ｂの幅方向寸法Ｌ２の方が長い場合を例示するための模式図である。なお、本具体例においては、アイレベルキャビネット３０には後述するスライド式扉が備えられている。
【００１９】
図４と図５とを比較すればあきらかなように、図４に表した具体例の場合には延出部２１の正面に幅狭に突出したアイレベルキャビネットが設けられているために、延出部２１に対面すると心理的な不安定さを感ずる。これに対して、図５に表した具体例の場合には、延出部２１の正面に幅の広い平面が前縁２０ａに対して平行に設けられているので安定感があり、安定心理的な落ち着きが得られる。つまり、安定感のある環境で心地よく調理作業などを進めることができる。
【００２０】
このように、本実施形態によれば、コーナー面４５ｂと延出部２１の前縁２０ａとが略平行となっているので、そこに立つだけでも平行なコーナー面４５ｂと正対することになり、心が落ち着きそこでの作業能率も高くなるという効果を生じる。また、延出部２１の前縁２０ａが直線のため作業者が作業をする際に腹部を当てながら作業ができ、直ぐ前面に調理に用いる備品、道具食材などを収納するためのアイレベルキャビネット３０も設けられているので調理スペース５０での作業がますます容易となる。このように、心理的にも落ち着き、かつ、作業がし易い調理スペース５０に、無意識のうちに作業者が来るようになる。その結果、使い勝手の良さからも作業者を心理的にさらに誘導しやすくなる。
【００２１】
バストレベルにコーナー収納部９０があることで、調理スペース５０の使い勝手を飛躍的に向上させる事ができる。前述したとおり、調理中、作業者はキッチンカウンタ２０上の調理スペース５０で切ったり混ぜたりという作業を行うので、首を前方に曲げ、顔を下に向け。上体をやや前傾させた姿勢をとっている事が多い。バストレベルにコーナー収納部９０がバストレベルにある場合、調理スペース５０上での作業姿勢のまま、顔を上に向けるだけで物の取出しが出来るので、作業者の体の負担を軽減し、作業者を疲れさせず、また調理の効率も良くなるという効果がある。
【００２２】
このバストレベルには、特に使用頻度の高い調理器具等を収納すると、格段に作業効率を良くする事が出来る。また、バストレベルは調理作業面よりも高い位置にあるので、清潔な調理器具を入れておけば、下ごしらえ作業で飛び散る水や鮮魚の汁などがかかる事もなく、衛生性を保つ事が出来る。例えば清潔なザルやボウルを収納しておけば、まな板で野菜などを切り、ボウルを取り出してその中に移し、次の野菜を切るという作業がスムーズに行える。また、さいばし、計量カップ、調理はさみ、ラップ、ふきんなどを入れておけば、調理の途中で必要に応じてすぐに取り出して使えるので効率が良く、さらに、使用後はすぐにもとの場所に戻す事が出来るので、出しっぱなしで調理スペース５０が狭くなる事がなく、またキッチンの整理整頓も出来る。また、使用頻度の高い、砂糖、塩、しょうゆ等の調味料を入れておけば、下ごしらえなどの味付けがスムーズに行える。このように、バストレベルの収納は、取り出しやすい位置に色々な作業に使う物を収納できるので、調理スペースに使用者を居続けさせる効果が高い。
【００２３】
バストレベルのコーナー収納部９０は、調理に使う器具や調味料を衛生的に収納するために好適であるが、例えばきゅうりとわかめの酢の物を作る作業における、バストレベルのコーナー収納部９０の使用方法を説明する。作業者は、まずコーナー収納部９０からボウルを取り出し、わかめと水を入れ、わかめを戻すためにしばらく放置する。その間に、調理スペース５０上のまな板できゅうりを切り、バストレベルのコーナー収納部９０から新しいボウルを取り出してこのきゅうりを入れ、バストレベルのコーナー収納部９０から塩を取り出し、きゅうりを塩で揉んでしばらく放置する。その間に、戻したわかめをまな板で切る。そして、きゅうりを洗って絞り、わかめと混ぜる。この時もバストレベルのコーナー収納部９０から菜ばしを取り出す。さらに、酢や醤油等の調味料をバストレベルのコーナー収納部９０から取り出し、調味する。この様に、バストレベルのコーナー収納部９０が調理スペース５０の正面にあると、調理の過程で必要になる様々な物の取り出しのために移動をする必要がなく、作業者はホームポジションに居続けながら非常に効率良く調理作業が行える。さらにバストレベルにコーナー収納部９０があると、調理スペース５０上での作業姿勢のまま、顔を上に向けるだけで物の取出しが出来るので、作業者を疲れさせず、また調理の効率もさらに良くなる。
【００２４】
またさらに、延出部２１の正面からみた構成がほぼ左右対称となっていることも心理的な安定感に作用する。  
図６及び図７は、アイレベルキャビネット３０が左右非対称に形成された場合を例示する模式斜視図及び模式平面図である。  
この具体例の場合にも、アイレベルキャビネット３０のコーナー面の幅方向の寸法は、延出部２１の前縁２０ａの寸法よりも短く、また延出部２１の正面から見るとアイレベルキャビネット３０の前面が右側に偏っており、不安定感や違和感が感じられる。これに対して、本実施形態によれば、図５に表したように延出部２１の正面からみて左右対称に形成されており、安定感が得られている。
【００２５】
さて、調理における作業動作の中心は、まな板やボウルなどを使った調理作業であり、これを中心にシンクを使った作業やコンロを使った作業が放射状に動くことになる。本実施形態においては、略Ｌ字状のキッチンカウンタ２０のほぼ中央であるコーナー部に調理スペース５０を設け、ここに作業者が来るよう心理的に誘導することができる。そのため、キッチンカウンタ２０のほぼ中央であるコーナー部をホームポジション（主に作業をする場所）として、放射状にシンクを使った作業やコンロを使った作業ができることになり、一連の作業をも効率的に行えるという効果も生じる。
【００２６】
図８は、作業者がコンロ上にある一番離れた鍋５５ａの中を確認する時の動作を説明するための模式図である。  
図９は、鍋５５ａをのぞき込んだときの身体（頭、肩、腰）の回転角度を示すグラフ図である。
【００２７】
また、図１０は、図９で示された身体（頭、肩、腰）の回転角度の最大値をまとめたグラフ図である。これらの図中の「Ａ型」とは延出部２１を有する本実施形態のシステムキッチン、「Ｌ型」とは延出部がもうけられていない従来のＬ型システムキッチン、「Ｉ型」とは一方向に延在するシステムキッチンを表している。尚、これらはいずれも立ち作業の場合を測定したものである。また、このときのコンロの具体的寸法を図１１に示す。
【００２８】
図８から解るように、Ｉ型の場合は調理スペースが鍋５５ａに近く、Ｌ型の場合は調理スペースが鍋５５ａから遠い。そのため、図９、図１０から解るようにＩ型の方がＬ型よりも身体（頭、肩、腰）の回転角度が少なくてすみ身体に対する負担は少ない。しかし、同じ設備仕様を有するＩ型とＬ型とを比べれば、Ｌ型システムキッチンの方が遥かにフロアのスペース効率がよい。そのため、Ｌ型における調理作業場所をコンロなどの他の作業スペースに近づけるようにすることが望ましいのではあるが、Ｌ型のコーナー部は作業がしづらく、また、システムキッチンのどこで作業を行うかは作業者により異なっていた。
【００２９】
これに対して、本実施形態に係るＡ型においては、前述したように作業者をコーナー部に心理的に誘導するとともに、この部分に調理スペース５０を設けている。そのため、Ａ型においては、高い頻度で作業者がコーナー部の調理スペース５０において調理作業を行う。そして、図９、図１０から解るようにＬ型のフロアのスペース効率を有したまま、Ｉ型とほぼ変わらない少ない身体（頭、肩、腰）の回転角度を得ることができた。尚、説明の便宜上、鍋をのぞき込む場合を説明したが、シンクの中を覗き込む場合も同様の効果が得られる。また、前述のようにコーナー部（調理スペース５０）はキッチンカウンタ２０のほぼ中央であるため、キッチンカウンター上のどの部分を視認の対象としても左右均等の回転角度ですみ、片側の視認に過大な回転角度を有するようなこともない。
図１２は、作業者の調理動作をモーションキャプチャを用いて測定した模式図である。すなわち、図１２（ａ）はＬ型（従来のＬ型システムキッチン）の立ち作業で調味料を出す場合、図１２（ｂ）はＬ型の立ち作業でボウルでの作業をする場合、図１２（ｃ）はＡ型（本実施形態のシステムキッチン）の立ち作業で調味料を出す場合、図１２（ｄ）はＡ型（本実施形態のシステムキッチン）の立ち作業でボウルでの作業をする場合、をそれぞれ表す。尚、被験者は身長１６２センチメートルの女性、調理作業はほうれん草の胡麻和えの調理とした。
【００３０】
ここで、両者を比べればＡ型（本実施形態のシステムキッチン）の場合の方が作業動線が短く作業効率が高いことが解る。
Ｌ型の場合、調味料作業をする場所Ａの近くにボウルを置くことができない。また、調味料を収納しておく場所も決められていない。尚、今回の実験ではシンクの近くに調味料が予め置いてあることとした。このように、調味料作業をする場所とボウルを置く場所が離れているので、作業者は身体を回転させるようにしてボウルの置いてある場所まで移動する必要が生じる。これに比べＡ型の場合は、調理スペース５０にボウルを置くことができ、また、作業者の直前に調味料が収納可能なアイレベルキャビネット３０が設置されている。そのため、おなじ場所（調理スペース５０）で作業を続けることができるため、作業動線が短く作業効率も高くなる。
【００３１】
図１２（ｅ）は、ホームポジションからの距離と時間との関係を示したグラフ図である。図中の（ａ）〜（ｄ）はそれぞれ図１２（ａ）〜図１２（ｄ）に対応する。この図からも解るように、Ｌ型ではボウルでの作業に移るときに大きな移動量を必要とすることが解る。これに対し、Ａ型ではおなじ場所（調理スペース５０）で作業を続けることができるため移動する必要がないことが解る。尚、前述のように今回の実験ではシンクの近くに調味料が予め置いてあることとしたが、実際のＬ型では調味料の収納場所がもっと遠い場合が多いと考えられ、実際の移動距離はさらに長くなると考えられる。なおここで、Ｌ型の場合のホームポジションは、調味料作業をする場所Ａの前とした。
【００３２】
図１３は、図１０の場合における調理時間と作業のための移動距離の積算値を示したグラフ図である。  
これらから、Ａ型（本実施形態のシステムキッチン）の方が、Ｌ型よりも調理時間はおなじでも移動距離が短く身体に対する負担が少ないことが解る。
【００３３】
図１４は、図１３における総移動距離を示したグラフ図である。この図からもＡ型（本実施形態のシステムキッチン）の方がＬ型よりも、総移動距離が短く身体に対する負担が少ないことが解る。
【００３４】
図１５は、ホームポジションからの移動距離と調理時間との関係を示したグラフ図である。ここで、「ホームポジション」とは、前述したように主に作業をする場所をいい、Ａ型の場合は延出部２１の前縁２０ａの前のことをいう。図から解るように、ほうれん草をゆでる工程までは、Ａ型もＬ型もあまり差はない。しかし、調味料をボールに入れて混ぜるボウルでの作業の工程とほうれん草をゆでこぼす工程とでは差が生じ、Ａ型の方が移動距離が短いことが解る。
【００３５】
図１６は、調理スペースの寸法関係を例示する模式図である。  
延出部２１の前縁２０ａとアイレベルキャビネット３０の前面との寸法Ｌ３（調理スペース５０の奥行き寸法）は、調理に用いる中心的な道具であるまな板やボウルが置ける寸法で、かつ、アイレベルキャビネット３０まで手が届く寸法である必要がある。ここで、まな板の寸法はその作業性を考慮すると２０センチメートルが最小と考えられる。成人女性の腹部から指先までの寸法は短い人で７０センチメートル程度であるので、上体を軽く屈めてアイレベルキャビネット３０まで手が届くのは図１６に示すように６５センチメートル程度と考えられる。
【００３６】
そのため、延出部２１の前縁２０ａとアイレベルキャビネット３０の前面との寸法範囲（調理スペース５０の奥行き寸法範囲）は２０センチメートル〜６５センチメートルとすることが望ましい。さらに、６０センチメートルとすれば楽にアイレベルキャビネット３０まで手が届くこと、成人女性の肘から指先までの寸法が短い人で３０センチメートル程度であることを考慮すると、３０センチメートル〜６０センチメートルとすることが作業性の面からより望ましい。さらに、成人女性の肘から指先までの寸法が長い人を考慮すると、肘から指先までの寸法が４５センチメートル程度であるので、４５センチメートル〜６５センチメートルとすることがより望ましい。このようにすれば、アイレベルキャビネット３０から必要な調理器具や調味料等の備品を取り出す際にも、移動することなく、手を伸ばすだけで取り出せるので、「作業動線」を縮小でき、作業をスムーズにかつ楽に行うことができるので作業者を心理的にさらに誘導しやすくなる。
【００３７】
本実施形態によれば、作業者がアイレベルキャビネット３０に正対したときに、コーナー面４５ｂの幅方向の両端が前縁２０ａの両端より外側に出るようにしている。このようにすれば、コーナー面４５ｂの幅方向の片端が外側に出ているときよりも作業者の心を落ち着かせ、作業者を心理的にさらに誘導しやすくなる。
【００３８】
略Ｌ型のシステムキッチンの後面側コーナー部の角度θ（図１８参照）を２分割する直線に対して略対称となるように、前縁２０ａとコーナー面４５ｂとを配置することもできる。このようにすれば、人の心理として、左右対称形状の真ん中に正対したときが最も圧迫感が少なく落ち着くので、作業者を心理的にさらに誘導しやすくなる。
【００３９】
図１７は、図１に示す本発明の実施の形態にかかるシステムキッチンの調理スペース５０付近の断面を例示するための模式断面図である。  
同図に示すように、キッチンカウンタ２０の天板とアイレベルキャビネット３０の底面との間に隙間３１を設けることもできる。ただし、アイレベルキャビネット３０の底面が座位の作業者のアイレベル位置よりも下になるようにする。そのようにすれば、アイレベル位置にコーナー面４５ｂを確保することが可能となるので前述の作業者の誘導効果は失われることがない。本発明者は検討の結果、調理の作業性や道具・材料の収納性を考慮してこの隙間３１を１４センチメートル程度とすることが望ましいとの知見に至った。また、このときアイレベルキャビネット３０の平面方向スペースを図１８に示すように幅２５センチメートル以上、奥行き２０センチメートル以上とすることが望ましいとの知見にも至った。このようなスペースを確保できれば、まな板のみならず、一般的なザルやボールの直径が２３センチメートル程度であるため、これらを収納ができ、かつ邪魔にならないからである。
【００４０】
そして、このような隙間３１を設ければ、調理のための作業スペースがさらに広くなり作業もし易くなる、また、調理に使う他の道具や材料を収納することも可能となるので他の場所に移動することなしに多くの作業がホームポジションにいながらにしてできることにもなる。特に、調理作業の中心となる道具であるまな板を収納したり、まな板を収納する手段を別途設けるようにすれば、作業能率をさらに向上させることができるので、作業者を心理的にさらに誘導しやすくなる。隙間３１には、調理の過程で仮置きしておく下ごしらえ途中の食材や、暫定的に非使用状態のまな板等調理器具を一時的に仮置きする事がる。さらに、隙間３１の下方のキッチンカウンタ２０と調理スペース50をなしているキッチンカウンタ２０とが段差のない連続平面であるので、スライドで物の移動が出来るので、作業者を疲れさせず、また調理の効率もさらに良くなる。
【００４１】
以下に述べるように、隙間３１の下方のキッチンカウンタ２０と調理スペース50をなしているキッチンカウンタ２０とが段差のない連続平面である場合、スライドして物の移動が出来るので、調理作業がスムーズに行える。
例えばきゅうりとわかめの酢の物を作る作業における、隙間３１の使用方法を説明する。作業者は、まずボウルにわかめと水を入れたものを隙間３１に置き、わかめを水で戻すために、しばらく放置する。その間に、調理スペース５０上のまな板できゅうりを切り、正別のボウルを取り出してきゅうりを移し、まな板を奥方向にスライドさせて隙間３１に入れ、手元にスペースを作る。きゅうりを塩で揉み、このボウルも奥にスライドさせ、隙間３１に入れ、しばらく放置する。まな板をスライドさせて手元に持ってきて、戻したわかめを切る。きゅうりのボウルをスライドさせて手元に出し、塩を洗って絞り、わかめと混ぜる。さらに、酢や醤油等の調味料で調味する。この様に、隙間３１の下方のキッチンカウンタ２０とが調理スペース５０の正面にあると、調理の過程で仮置きしておく下ごしらえ途中の食材や、暫定的に非使用状態のまな板等調理器具を一時的に仮置きする事ができ、手元の一番作業しやすい所で個々の調理作業を行いつつ、必要な物はすべて周囲の手の届く範囲に置いて置けるので、作業者はホームポジションに居続けながら非常に効率良く調理作業が行える。特に、隙間３１隙間３１の下方のキッチンカウンタ２０と調理スペース50が段差のない連続平面である場合、スライドで物の移動が出来るので、作業者を疲れさせず、また調理の効率もさらに良くなる。
【００４２】
コーナー収納部９０の下方に隙間３１があると、さらに使い勝手が良い。すなわち、コーナー収納部９０をドライスペース、隙間３１をウェットスペースとして使い分ける事ができる。調理に使用する器具や調味料をコーナー収納部９０に衛生的に保管し、洗浄後の乾燥している調理器具はドライスペース、コーナー収納部９０に入れておくと、濡れたり汚れたりする事なく保管できる。調理中の食材、ボウルなどは濡れている場合も多いが、調理中の食材や隙間３１の下方のキッチンカウンタ２０は、調理スペース50と同様に濡れても良いウェットスペースとして使用可能な場所なので、これらを置くことが出来る。このように調理スペースの正面にドライスペースとウェットスペースの両方を兼ね備えることにより、調理の効率がさらに良くなる。
【００４３】
アイレベルキャビネット３０の前面にはスライド開閉式の扉を設けることができる。このようにすれば、扉前面がコーナー面４５ｂとなるので、より明確で広いコーナー面を確保することができる。また、スライド式とすれば作業者側に出っ張ってこないので調理スペース５０が狭くなったり、圧迫感が増したりするようなこともない。そのため、さらに圧迫感が少なく落ち着くので、作業者を心理的により誘導しやすくなる。
【００４４】
また、扉を設けるだけでも煩雑感がなくなりすっきりする。さらに、扉の材質を不透明なものとすればアイレベルキャビネット３０の収納物が見えなくなり煩雑感がなくなるのでさらに圧迫感が減少する。一方、半透明とすれば収納物を識別することが可能となると同時に違和感も少なくなり美的外観にも優れたものとなる。本発明者は、検討の結果、少なくとも扉の一部をすりガラスや半透明の樹脂などとすることが望ましく、さらにほぼ全面をすりガラスや半透明の樹脂で構成すればより望ましいとの知見を得た。そして、このような構成を採用することで、作業者を心理的にさらに誘導しやすくすることができる。また、アイレベルキャビネットに扉を設ければ防虫効果も高まり衛生面でも優れた効果を生じる。
【００４５】
また、本発明者は、検討の結果、扉の全面は平面であった方がコーナー面が明確になるので望ましいが、わずかな湾曲程度なら作業者を心理的に誘導するという効果は失われないとの知見をも得た。
【００４６】
図１９〜図２１は、アイレベルキャビネット３０の模式断面図である。尚、説明の便宜上、底板４６の上に設けられた棚板４５は１段としている。上扉３２と下扉３３は枠体部３２ａ、３３ａとすりガラス窓３２ｂ、３３ａとを備え、枠体部３２ａ、３３ａの下部には取手３２ｃ、３３ｃが設けられている。上扉３２、下扉３３は図示しないバランス手段により任意の位置で保持されるようになっている。図２０は下扉３３を開けた状態、図２１は上扉３２を開けた状態をそれぞれ例示する。このように上下スライド式の扉の場合には、開閉に際して作業者の身体を左右にねじる力が作用しないので、開閉が楽である。また、例えば、回転可能な椅子１００（図１参照）に座った作業者が扉を開閉する際にも、身体が左右に揺れることがない。
【００４７】
図２２及び図２３も、上下スライド式の扉を設けた具体例を表す。本具体例においては、いわゆるブラインドシャッター３４が設けられ、図２２はブラインドシャッター３４が閉じられた状態、図２３はブラインドシャッター３４を半分程度開けた状態を表す。
【００４８】
図２４及び図２５は、左右スライド式の扉を例示するための模式図である。尚、扉の構成は図１９に表した具体例と同様であるので省略する。ただし、左右スライド式の場合はバランス手段を必要としない。図２５は、左側扉を開けた状態を表す。
【００４９】
図２６及び図２７は、左右開閉のブラインドシャッターを設けた具体例を表す。  
図２６はブラインドシャッター３５を閉じた状態、図２７はブラインドシャッター３５を半分程度開けた状態にそれぞれ表す。
【００５０】
尚、本発明は、これらに例示した扉の構造や種類に限定されるわけではなく、扉の材質や色などもアイレベルキャビネット本体やキッチンカウンタなどを考慮して適宜選択することもできる。
【００５１】
一方、本実施形態においては、アイレベルキャビネット３０の前面上方に、照明手段を設けることもできる。  
図２８は、アイレベルキャビネット３０の上方に照明手段を設けた具体例を表す模式図である。  
本具体例においては、アイレベルキャビネット３０の上にウォールキャビネット８０が設けられている。そして、ウォールキャビネット８０の下面にスポット照明８２が設けられ、スポット光Ｌによりアイレベルキャビネット３０の前方に拡がり延出部２１を含む調理スペース５０を照らすことができるようにされている。調理スペース５０を照明手段で照らすことができれば、調理作業がし易くなるばかりではなく、スポットライト的な効果により作業者を心理的にさらに誘導しやすく、また心地よく調理作業ができる。
【００５２】
図２９は、本実施形態における調理スペース５０を説明するための模式図である。  
ここでは、作業者Ｐからみて近い順に、軽く脇を締めた状態で楽に作業できる範囲を「領域１」（例えば、肩を中心として有効半径およそ３０センチメートル）、上体を屈めることなく脇から腕を伸ばして届く範囲を「領域２」（例えば、肩を中心として有効半径およそ５０センチメートル）、さらに上体を前方に屈めることにより届く範囲を「領域３」とした。  
例えば、まな板の上で食材を切ったり、ボウルを用いて食材を捏ねたりするなどの手元の作業は領域１の範囲で行い、作業中に使うものを仮置きする場合などに領域２の範囲を利用すると、楽に素早く作業を行うことができ、この領域１と領域２は前述したように使用頻度が高い作業のスペースに値する領域であるといえる。尚、前述の調理スペース５０の領域は多少上体を屈めた時をも含むため、領域１と領域２よりは奥行き方向に若干広くなっている。
【００５３】
これに対して、領域３は、上体を屈める必要があり、高頻度の作業には適さないため、いわゆる「デッドスペース」になりやすい。
【００５４】
本実施形態においては、このように略Ｌ字状のカウンタ２０のコーナー部の領域３が、デッドスペースになりやすく、且つ、コンロ５５とシンク６０とに挟まれていることを考慮して、このデッドスペースに両翼を有するアイレベルキャビネット３０を設けている。こうすることにより、領域１と領域２からなる作業のスペースに何ら影響を与えることなく、作業に必要な備品をすぐに取り出したり収納したりすることができる。
【００５５】
図３０は、延出部２１の左右の少なくとも一方に作業スペースを確保する場合のコンロ、シンクの配置を例示した模式図である。  
このような作業スペースＳがあると、調理スペース５０における作業において、材料や調味料などの仮置きができ便利である。ただし、あまりこのスペースを大きくすると仮置きした材料や調味料に手が届きにくくなり、またコンロ５５やシンク６０も遠ざかってしまうこととなるので、かえって不便となる。本発明者は検討の結果、コンロまたはシンクの調理スペース側端面の延長線とキッチンカウンタの前縁との交点を通る延出部２１に平行な仮想の線を求め、この仮想の線と延出部２１との距離を３０センチメートル以内にすることが望ましいとの知見に至った。また、この距離を１５センチメートル以内とすることがさらに望ましいとの知見にも至った。図３１に示すように、人Ｐの身体の厚みは２０〜３０センチメートル程度なので、前述の距離を３０センチメートル以内とすれば、無理なくこの作業スペースを使いこなせるからである。また、人の肩中心から腹部までは１０〜１５センチメートル程度なので、前述の距離を１５センチメートル以内とすれば、さらに無理なくこの作業スペースを使いこなせる。
【００５６】
図３２は、調理スペース５０付近の具体的寸法を例示した模式図である。  
延出部２１の前縁２０ａの長さは、例えば３６０ミリメータとすることができる。太った男性でも、お腹部分の横幅は最大で３５０ミリメータ程度であるので、こうすると、前縁２０ａよりもはみ出すことはない。図中の中央楕円で示した領域が調理スペース５０の領域、左右の楕円の領域が道具や材料などの仮置きなどに使われるサブの調理スペースである。ただし、これらの寸法に限定されるわけではない。
【００５７】
ところで、本実施形態においては、調理スペース５０がコンロ５５とシンク６０とに挟まれているため、それらとの距離と作業性・安全性との関係を考慮する必要がある。特に、コンロとの距離は安全性の上で重要である。
【００５８】
まず、調理スペース５０とコンロ５５との関係について説明する。  
調理スペース５０からコンロ５５が遠くに離れていると、調理スペース５０からコンロ５５に置いてある鍋などの状態を視認することが困難となる。逆に、コンロ５５との距離が近すぎると調理スペース５０での作業のじゃまになり、作業者の肘などが鍋などにあたれば危険でもある。本発明者は、調理スペース５０で正対している状態から振り返るときの腕・肘の軌跡をシミュレーションから求め、コンロ５５に置かれた鍋に干渉しない位置を検討した。
【００５９】
図３３は、調理スペース５０に正対している状態からコンロ５５側に振り返ったときの腕・肘の軌跡をシミュレーションした場合の模式図である。図中の略三角形の領域３４が腕・肘の軌跡の範囲である。
【００６０】
図３４は、作業者の各身長における腕・肘の軌跡が干渉しない調理スペース５０とコンロ５５との最小距離を示すグラフ図である。このグラフ図中の線の上側領域が腕・肘が当たらず安全に作業ができる領域である。尚、このシミュレーションは作業者が椅子に座っている場合を想定している。座っている方が腕・肘の位置が低くより鍋などに当たりやすいからである。また、縦軸のコンロから前縁端まで距離Ｌ４とは、調理スペース５０に最も近いコンロの中心から前縁２０ａの片端間での距離をいう。
【００６１】
図３５は、調理スペース５０で調理をする作業者からコンロ１つが視野に入る最大距離を示すグラフ図である。この場合、まな板作業など注視点がほぼ正面にあるとき、顔を動かさずに周辺視野に最低１つのコンロが入ってきて中身が確認できる距離を求めることとした。尚、正面に注視している状態における周辺視野角は１３０度としている。このグラフ図中の線の下側領域が視野にはいるためコンロの１つが確認できる領域である。尚、このシミュレーションも作業者が椅子に座っている場合を想定している。また、縦軸のコンロから前縁端まで距離Ｌ４とは、調理スペース５０に最も近いコンロの中心から前縁２０ａの片端までの距離をいう。
【００６２】
図３６は、前述の図３４と図３５とを重ね合わせたものである。このグラフ図からは、鍋などとの干渉性と視認性（安全性と作業性）が両立できる最適な調理スペース５０とコンロ５５との距離を知ることができる。この場合、調理をする人に女性が多いことを考慮して、身長を１５０センチメートル〜１７０センチメートルとすれば、グラフ図中に示した斜線領域が最適な範囲（３０センチメートル〜３５センチメートル）となる。
【００６３】
次に、調理スペース５０とシンク６０との関係について説明する。  
シンク６０までの距離が遠くなるほど移動距離が長くなるのでシンクを使う場合を含めた総合的な作業性が悪くなる。逆に、シンク６０までの距離を極端に近づけると、シンク６０に調理スペース５０が奪われ調理の作業性が悪くなる。そこで、シンク６０をどこまで離したときに作業者の主観が悪くなるか（作業のしづらさを感じたか）を実験で求めた。
【００６４】
図３７は、シンク６０をコーナー部から離していくときの様子を模式的に表した図である。  
図３８は、シンク６０をコーナー部から離していったときの主観の変化を示した円グラフ図である。円グラフ図上方の数値は、前縁２０ａの片端からシンク６０の片端までの距離Ｌ５を示している。また、円グラフ図の色分けを示した１〜５の数値は、数値が小さくなるほど主観が悪くなったこと（１に近づくほど作業のしづらさを感じたこと）を示している。これらの円グラフ図から解るように、シンク６０までの距離が小さいほど主観がよく、３０センチメートルを超えて４５センチメートルになるとほぼ全員の主観が悪くなることが解る。
【００６５】
以上説明した結果から、コンロの中心から前縁２０ａの片端まで距離Ｌ４を３０センチメートル〜３５センチメートル、前縁２０ａの片端からシンク６０の片端までの距離Ｌ５を０センチメートル〜３０センチメートルとすることが好適であることが解る。シンク、コンロをこのように配置すると、中央の調理スペース５０とシンク、コンロが近接するため、調理中に並行作業がしやすくなる。例えば、右手では、調理スペース５０上でサラダの盛り付けをしながら、左手でフライパン作業を行う事ができ、調理の効率が大幅に向上する。
【００６６】
図３９は、本実施の形態における座位の作業者とシステムキッチンの関係を模式的に表した図である。ニー・スペース５４を設けることにより、作業者は椅子１００に座った状態で調理スペース５０において楽に調理作業などを進めることができる。
【００６７】
図４０は、ニー・スペース５４がない場合の本発明の実施の形態にかかるシステムキッチンの基本構成を例示する模式斜視図である。本実施の形態においては、作業者は基本的には立ち作業となる。そのため、アイレベル位置がその分高くできるので、アイレベルキャビネットの位置も上に上げることができる。その結果、キッチンカウンタ２０の天板とアイレベルキャビネット３０の底面との間の隙間３１も広くすることができ作業性の向上が図れる。また、図３３〜図３６に関して説明した安全性・作業性の観点からの寸法制限を緩和することもできる。立ち作業の方が腕・肘の位置が高いため鍋などとの干渉がしづらく、また自由度も大きくなるからである。図４１は、図４０に例示したシステムキッチンと作業者の関係を模式的に表した図である。
【００６８】
図４２は、キッチンカウンタ２０とコーナー面４５ｂとの奥行き方向の関係を示す模式図である。本発明では、前縁２０ａとコーナー面４５ｂが略平行であることから作業者を心理的に調理スペースに誘導するが、この誘導効果を高めるためには、延出部２１の前縁２０ａとキッチンカウンタ２０の奥角との寸法Ｌ１００（キッチンカウンタ２０の奥行き寸法）と、延出部２１の前縁２０ａとアイレベルキャビネット３０の前面との寸法Ｌ３（調理スペース５０の奥行き寸法）との関係が重要である。Ｌ１００に対してL３が短すぎると、作業者とコーナー面４５ｂが近いので、圧迫感を感じるし、逆にL３が長すぎると、コーナー面が遠くなり、同時にL２が短くなるため、平行な面による誘導効果が低下してしまうため、適切な範囲に設計する事が望ましい。L１００が９０センチメートル〜１２０センチメートルのキッチンで検討した結果、L３がL１００の４０％〜８０％の範囲で圧迫感がなく誘導効果を発揮することを見出した。例えば、L１００が１１０ｃｍのキッチンでは、L３が４４ｃｍ〜８８ｃｍの範囲で誘導効果が発揮される。実際のキッチンの設計には、手の届く範囲と心理的な誘導効果の両方を考慮してL３の寸法をを決定する事が望ましい。
【００６９】
図４３は、コーナー面４５ｂ、隙間３１、アイレベル、バストレベルの位置関係を示す模式図である。
アイレベルＨｅは、人の目の高さであり、日本人の背の低い女性から背の高い男性で１２０センチメートル〜１７０センチメートルの範囲である。バストレベルＨｂは、人の乳頭の高さであり、日本人の背の低い女性から背の高い男性で８７センチメートル〜１３２センチメートルである。
【００７０】
本実施例では、アイレベルからコーナー面の下端４５ｃまでの距離Ｈ１１が、隙間Ｌ３の高さＨ１より長くなっている。調理中作業者は正面又は下方を向いているため、この視野範囲において半分以上をコーナー面４５にすることで、ホームポジションへの誘導効果を高める事が出来る。
【００７１】
さらに、遠方からキッチンに近づいて来る場合の誘導効果までもを考慮すると、コーナー面全体が視野に入るため、コーナー面の高さＨ２が隙間Ｌ３の高さＨ１より長くすることで、ホームポジションへの誘導効果を高める事が出来る。また、コーナー面４５がアイレベルよりも高いと視野に入るコーナー面の面積が大きくなり誘導効果が高まるため、アイレベルキャビネット４５の上端４５ｄの高さは、アイレベルより高いことが望ましく、例えば、１７５センチメートル以上であることが望ましい。本実施例では、８１センチメートルの高さのキッチンカウンタを用い、Ｈ１を１４センチメートル、Ｈ２を８０センチメートルとしている。
【００７２】
以上、具体例を参照しつつ本発明の実施形態について説明した。しかし、本発明はこれら具体例に限定されるものではない。  
本発明のシステムキッチン１０は、その一部を台所の壁面に接して設置してもよく、あるいは壁面から離間させて設置してもよい。例えば、アイレベルキャビネット３０の背後には台所の壁面があり、そこからシンクを横方向に突出させることにより、シンクの部分を対面式にすることかできる。このような、いわゆる対面型のシステムキッチンも本発明の範囲に包含される。
【００７３】
本発明において用いられるキャビネット３０やこれらに付設される要素などは図示した収納抽斗、数、方向、形状、サイズ、配置、取手の形状、取り付け面、に限定されず、当業者が適宜変更を加えたものであっても、本発明の要旨を変更しない範囲において適宜設計変更して採用したものも、本発明の要旨を有する限りにおいて本発明の範囲に包含される。
【００７４】
また、システムキッチンのレイアウトに関しても、例示したものに限定されず、本発明の要旨を変更しない範囲において適宜設計変更して採用したものも、本発明の要旨を有する限りにおいて本発明の範囲に包含される。
【図面の簡単な説明】
【００７５】
【図１】本発明の実施の形態にかかるシステムキッチンの基本構成を例示する模式斜視図である。
【図２】図１に示す本発明の実施の形態にかかるシステムキッチンを例示するための模式平面図である。
【図３】棚板の寸法を例示した模式図である。
【図４】前縁の寸法Ｌ１よりもコーナー面の幅方向寸法Ｌ２の方が短いときを例示するための模式図である。
【図５】前縁の寸法Ｌ１よりもコーナー面の幅方向寸法Ｌ２の方が長いときを例示するための模式図である。
【図６】アイレベルキャビネット３０が左右非対称に形成された場合を例示する模式斜視図である。
【図７】アイレベルキャビネット３０が左右非対称に形成された場合を例示する模式平面図である。
【図８】作業者がコンロ上にある一番離れた鍋の中を確認する時の動作を説明するための模式図である。
【図９】鍋をのぞき込んだときの身体（頭、肩、腰）の回転角度を示すグラフ図である。
【図１０】身体（頭、肩、腰）の回転角度の最大値をまとめたグラフ図である。
【図１１】実験に使ったコンロの寸法を示す模式図である。
【図１２】作業者の調理動作をモーションキャプチャを用いて測定した図である。
【図１３】場合における調理時間と作業のための移動距離を示したグラフ図である。
【図１４】総移動距離を示したグラフ図である。
【図１５】ホームポジションからの移動距離と調理時間との関係を示したグラフ図である。
【図１６】上体を軽く屈めてアイレベルキャビネットまで手を伸ばした状態を例示した模式図である。
【図１７】図１に示す本発明の実施の形態にかかるシステムキッチンの調理スペース５０付近の断面を例示するための模式断面図である。
【図１８】アイレベルキャビネットの平面方向スペースを例示した模式図である。
【図１９】図４で例示したアイレベルキャビネット３０の模式断面図である
【図２０】下扉３３を開けたときを例示するための模式図である。
【図２１】上扉３２を開けた時を例示するための模式図である。
【図２２】上下スライド式のブラインドシャッターの場合を例示するための模式図である。
【図２３】ブラインドシャッターを半分程度開けたときを例示するための模式図である。
【図２４】左右スライド式の扉を例示するための模式図である。
【図２５】左側扉を開けた場合を例示するための模式図である。
【図２６】左右開閉のブラインドシャッターを例示するための模式図である。
【図２７】ブラインドシャッターを半分程度開けた場合を例示するための模式図である
【図２８】アイレベルキャビネット３０の上方に照明手段を設けた具体例を表す模式図である。
【図２９】本実施形態における調理スペース５０を説明するための模式図である。
【図３０】延出部の左右の少なくとも一方に作業スペースを確保する場合のコンロ、シンクの配置を例示した模式図である。
【図３１】調理スペースの前にいる作業者の身体の厚みを例示するための模式図である。
【図３２】調理スペース付近の具体的寸法を例示した模式図である。
【図３３】調理スペース５０に正対している状態からコンロ５５側に振り返ったときの腕・肘の軌跡をシミュレーションした場合の模式図である。
【図３４】作業者の各身長における腕・肘の軌跡が干渉しない調理スペース５０とコンロ５５との最小距離を示すグラフ図である。
【図３５】調理スペース５０で調理をする作業者からコンロ１つが視野に入る最大距離を示すグラフ図である。
【図３６】図３４と図３５とを重ね合わせたグラフ図である。
【図３７】シンク６０をコーナー部から離していくときの様子を模式的に表した図である。
【図３８】シンク６０をコーナー部から離していったときの主観の変化を示した円グラフ図である。
【図３９】本実施の形態における作業者とシステムキッチンの関係を模式的に表した図である。
【図４０】ニー・スペース５４がない場合の本発明の実施の形態にかかるシステムキッチンの基本構成を例示する模式斜視図である。
【図４１】図４０に例示したシステムキッチンと作業者の関係を模式的に表した図である。
【図４２】キッチンカウンタ２０とコーナー面４５ｂとの奥行き方向の関係を示す模式図である。
【図４３】コーナー面４５ｂ、隙間３１、アイレベル、バストレベルの位置関係を示す模式図である。
【符号の説明】
【００７６】
１０ システムキッチン、２０ キッチンカウンタ、 ２０ａ 前縁、 ２１ 延出部、 ２３ フロアキャビネット、 ２５ 食洗機、 ３０ アイレベルキャビネット、 ３１ 隙間、 ３２ 上扉、 ３２ａ 枠体部、 ３２ｂ ガラス窓、 ３２ｃ 取手、 ３３ 下扉、 ３４、３５ ブラインドシャッター、 ３９ 収納部、 ４０ 収納抽斗、 ４５ 棚板、 ４５ａ 前縁、 ４５ｂ コーナー面、 ４５ｃ  コーナー面の下端、  ４５ｄ  コーナー面の上端、５０ 調理スペース、 ５３ サブ作業スペース、 ５４ ニー・スペース、 ５５ コンロ、 ５５ａ 鍋、 ６０ シンク、 ８０ ウォールキャビネット、 ８２ スポット照明、９０  コーナー収納部、１００ 椅子  
【図１】
2007330489.tif 000003
【図２】
2007330489.tif 000004
【図３】
2007330489.tif 000005
【図４】
2007330489.tif 000006
【図５】
2007330489.tif 000007
【図６】
2007330489.tif 000008
【図７】
2007330489.tif 000009
【図８】
2007330489.tif 000010
【図９】
2007330489.tif 000011
【図１０】
2007330489.tif 000012
【図１１】
2007330489.tif 000013
【図１２】
2007330489.tif 000014
【図１３】
2007330489.tif 000015
【図１４】
2007330489.tif 000016
【図１５】
2007330489.tif 000017
【図１６】
2007330489.tif 000018
【図１７】
2007330489.tif 000019
【図１８】
2007330489.tif 000020
【図１９】
2007330489.tif 000021
【図２０】
2007330489.tif 000022
【図２１】
2007330489.tif 000023
【図２２】
2007330489.tif 000024
【図２３】
2007330489.tif 000025
【図２４】
2007330489.tif 000026
【図２５】
2007330489.tif 000027
【図２６】
2007330489.tif 000028
【図２７】
2007330489.tif 000029
【図２８】
2007330489.tif 000030
【図２９】
2007330489.tif 000031
【図３０】
2007330489.tif 000032
【図３１】
2007330489.tif 000033
【図３２】
2007330489.tif 000034
【図３３】
2007330489.tif 000035
【図３４】
2007330489.tif 000036
【図３５】
2007330489.tif 000037
【図３６】
2007330489.tif 000038
【図３７】
2007330489.tif 000039
【図３８】
2007330489.tif 000040
【図３９】
2007330489.tif 000041
【図４０】
2007330489.tif 000042
【図４１】
2007330489.tif 000043
【図４２】
2007330489.tif 000044
【図４３】
2007330489.tif 000045